(57)【要約】【課題】給電制御により機能制限を行うことができる画像記録装置の提供。【解決手段】認証コードを受付け（Ｓ１１）、利用制限する機能を特定する（Ｓ１２）。そして、利用制限下での使用であるか否かを判断し（Ｓ１３）、利用制限下での使用であると判断した場合（Ｓ１３：ＹＥＳ）、利用制限する旨を報知し（Ｓ１４）、利用制限する機器への給電を停止させる（Ｓ１７）。また、認証された利用者による操作が終了したと判断した場合（Ｓ１９：ＹＥＳ）、利用制限した機器への給電を再開させる（Ｓ２０）。【選択図】図６
2007286353.tif 000002
【特許請求の範囲】
【請求項１】
シート上への画像の記録を行うために制御される複数の被制御部を備え、該被制御部を制御することによりシート上への画像の記録を行う画像記録装置において、
前記被制御部に対して各別に給電を行う給電手段と、利用者に対する認証を行う認証手段と、該認証手段による認証結果に応じて給電対象を異ならせるべく前記給電手段を制御する制御手段とを備えることを特徴とする画像記録装置。
【請求項２】
認証されるべき利用者と該利用者に対して利用を許可する機能との関係を規定したテーブルを備え、前記制御手段は、前記テーブルに基づいて前記給電手段を制御するようにしてあることを特徴とする請求項１に記載の画像記録装置。
【請求項３】
前記制御手段により給電対象を制限する場合、その旨を報知する手段を備えることを特徴とする請求項１又は２に記載の画像記録装置。
【請求項４】
前記制御手段により給電対象を制限した場合、その履歴を記憶する手段を備えることを特徴とする請求項１又は請求項２に記載の画像記録装置。
【請求項５】
利用者を認証した状態が解除されたか否かを判断する手段と、利用者を認証した状態が解除されたと判断した場合、給電を停止した被制御部への給電を再開させる手段とを備えることを特徴とする請求項１乃至請求項４の何れか１つに記載の画像記録装置。
【発明の詳細な説明】
【技術分野】
【０００１】
本発明は、給電制御により機能制限を行うことができる画像記録装置に関する。
【背景技術】
【０００２】
パーソナルコンピュータのような情報処理装置にて作成されたドキュメント、グラフィックス等のデータに基づく画像を、プリンタ、デジタル複合機等の画像記録装置にて用紙に記録するプリントシステムが実用化されている。情報処理装置で扱うデータには、企業秘密を記載したデータが含まれている場合があり、このような機密性を有するデータが不用意に漏洩しないように、使用する際に各利用者の認証を行うことによって正当な利用者のみに使用を制限する装置が普及している（例えば、特許文献１参照）。
【０００３】
また、装置の非稼働部分を検出し、検出された非稼働部分への通電を遮断することにより装置の省電力化を図るようにした画像記録装置も提案されている（例えば、特許文献２参照）。
【特許文献１】特開２００２−１４１２５２号公報
【特許文献２】特開２００５−１２４１３２号公報
【発明の開示】
【発明が解決しようとする課題】
【０００４】
しかしながら、非稼働部分への通電を遮断するようにした画像記録装置では、装置の使用しない部分に通電を行わないものだけであり、利用者の利用権限などとは個別のものとして扱われている。したがって、管理者が給紙カセットに特殊な用紙をセットした場合において、利用権限がない利用者がその用紙を無断で使用する虞が生じていた。
【０００５】
本発明は斯かる事情に鑑みてなされたものであり、利用者に対する認証を行い、認証結果に応じて給電対象を異ならせる構成とすることにより、その利用者の利用権限内で装置の利用を許可することができる画像記録装置を提供することを目的とする。
【課題を解決するための手段】
【０００６】
本発明に係る画像記録装置は、シート上への画像の記録を行うために制御される複数の被制御部を備え、該被制御部を制御することによりシート上への画像の記録を行う画像記録装置において、前記被制御部に対して各別に給電を行う給電手段と、利用者に対する認証を行う認証手段と、該認証手段による認証結果に応じて給電対象を異ならせるべく前記給電手段を制御する制御手段とを備えることを特徴とする。
【０００７】
本発明にあっては、複数の被制御部を制御することによりシート上への画像の記録を行う画像記録装置において、利用者に対する認証を行い、認証結果に応じて給電対象の被制御部を異ならせるようにしているため、利用者に応じて利用できる機能を異ならせることが可能となる。
【０００８】
本発明に係る画像記録装置は、認証されるべき利用者と該利用者に対して利用を許可する機能との関係を規定したテーブルを備え、前記制御手段は、前記テーブルに基づいて前記給電手段を制御するようにしてあることを特徴とする。
【０００９】
本発明にあっては、認証されるべき利用者と該利用者に対して利用を許可する機能との関係を規定したテーブルを備えているため、このテーブルに従って給電対象を異ならせることにより、利用者に対して利用を許可する機能を異ならせることが可能となる。
【００１０】
本発明に係る画像記録装置は、前記制御手段により給電対象を制限する場合、その旨を報知する手段を備えることを特徴とする。
【００１１】
本発明にあっては、給電対象を制限する場合、その旨を報知するため、利用者は制限された範囲で装置を利用することとなる。
【００１２】
本発明に係る画像記録装置は、前記制御手段により給電対象を制限した場合、その履歴を記憶する手段を備えることを特徴とする。
【００１３】
本発明にあっては、給電対象を制限した場合、その履歴を記憶するため、不正利用の有無を後に調べることが可能となる。
【００１４】
本発明に係る画像記録装置は、利用者を認証した状態が解除されたか否かを判断する手段と、利用者を認証した状態が解除されたと判断した場合、給電を停止した被制御部への給電を再開させる手段とを備えることを特徴とする。
【００１５】
本発明にあっては、利用者を認証した状態が解除された場合には、給電を停止した被制御部への給電を再開させるため、次の利用者に備えて給電を開始し待機状態とすることができる。
【発明の効果】
【００１６】
本発明による場合は、複数の被制御部を制御することによりシート上への画像の記録を行う画像記録装置において、利用者に対する認証を行い、認証結果に応じて給電対象の被制御部を異ならせるようにしている。利用者に応じて利用できる機能を異ならせることが可能となり、装置のセキュリティを維持することができる。例えば、装置を使用する利用者の地位が高い場合、重要な書類をコピーする可能性が高いため、大容量の給紙カセットの利用を制限するために、その給紙カセットのピックアップローラを駆動するモータへの給電を停止することができる。また、利用者の装置の熟知度が低い場合、穿孔装置やステープル装置などの後処理装置の利用を制限すべく、これらの装置への給電を停止することができる。
【００１７】
本発明による場合は、認証されるべき利用者と該利用者に対して利用を許可する機能との関係を規定したテーブルを備えている。したがって、このテーブルに従って給電対象を異ならせることにより、利用者に対して利用を許可する機能を異ならせることができる。
【００１８】
本発明による場合は、給電対象を制限する場合、その旨を報知する。したがって、利用者は制限された範囲で装置を利用することができる旨を知ることができる。
【００１９】
本発明による場合は、給電対象を制限した場合、その履歴を記憶するため、不正利用の有無を後に調べることが可能となる。
【００２０】
本発明による場合は、利用者を認証した状態が解除された場合には、給電を停止した被制御部への給電を再開させるため、次の利用者に備えて給電を開始し待機状態とすることができる。
【発明を実施するための最良の形態】
【００２１】
以下、本発明をその実施の形態を示す図面に基づいて具体的に説明する。
図１は本実施の形態に係る画像記録装置の全体構成を示す構成図である。本実施の形態に係る画像記録装置は、モノクロコピー機能、カラーコピー機能、モノクロプリント機能、カラープリント機能、ファクシミリ機能などを有するデジタル複合機であり、スキャナユニット１、モノクロプリンタユニット３、カラープリンタユニット５、後処理ユニット７を備えている。
【００２２】
図２はスキャナユニット１及びモノクロプリンタユニット３の構成を示す断面図である。スキャナユニット１は、ＡＤＦ（Automatic Document Feeder）１０、光源ユニット１１、ミラーユニット１２、及びＣＣＤ読取ユニット１３を備えており、ガラス製の原稿台１４に載置された原稿から画像データを光学的に読取る機能を有する。光源ユニット１１は、光源と、この光源が照射する読取用の照射光を原稿台１４の所定の読取り位置に集光する凹面のリフレクタと、原稿からの反射光のみを通過させるスリットと、スリットを通過した光の光路を９０度変換するために原稿台１４の面に対して反射面を４５度にして配置されたミラー等により構成されている。また、光源ユニット１１を原稿台１４の下面に沿って移動させるためのステッピングモータ（不図示）を備えており、光源ユニット１１を前記ステッピングモータにより移動させながら原稿台１４に載置された原稿の画像を読取るように構成されている。また、ＡＤＦ１０は大量の原稿を自動的に読取るための原稿送り装置であり、原稿束を載置するための原稿トレイ、原稿トレイに載置された原稿束から一枚ずつ原稿を取込むためのピックアップローラ、取込んだ原稿を所定の読取位置まで搬送する搬送ローラ、読取後の原稿が排出される排紙トレイなどを備えている。
【００２３】
ミラーユニット１２は、光源ユニット１１を経由した反射光をＣＣＤ読取ユニット１３へ折り返すために、反射面が相互に直交するように配置された一対のミラーを備えている。ＣＣＤ読取ユニット１３は、スキャナユニット１の所定位置に固定されており、ミラーユニット１２を経由した反射光を結像レンズによって光電変換素子上に結像させて、光信号を電気信号に変換させる。ここで、電気信号に変換されたアナログの画像信号はＡＤ変換器によりデジタル変換される。デジタル変換して得られた画像データは、モノクロプリンタユニット２又はカラープリンタユニット３へ転送される。
【００２４】
プリンタユニット３は、用紙（記録担体）上にモノクロ（黒）の画像を記録するプロセス部３０と、このプロセス部３０に対して用紙を供給する用紙供給部４０とを備えている。プロセス部３０は、その表面に画像が形成される感光体ドラム３１、感光体ドラム３１を帯電させる帯電器３２、帯電された感光体ドラム３１上に潜像を書込む露光装置３３、感光体ドラム３１上の潜像を現像する現像装置３４、現像されたトナー像を用紙上に転写するための転写装置３５、トナー像が転写された用紙に対して熱及び圧力を加えることによりトナー像を用紙上に定着させる定着装置３６等を備えており、用紙供給部から搬送される用紙（記録担体）上に画像の記録を行う。
【００２５】
また、プリンタユニット３の下方には、プロセス部３０に対して用紙を供給する用紙供給部４０が設置されており、複数種の用紙を収容するために複数の給紙カセット４１，４２，４３，４４を備えている。給紙カセット４１，４２は、例えば、Ａ４サイズの用紙を大量に収容することができる大容量給紙カセットであり、給紙カセット４３，４４は、各種のサイズの用紙を収容できる多目的給紙カセットである。給紙カセット４１〜４４に収容されている用紙は、用紙搬送路近傍に設けられたピックアップローラによって一枚ずつ分離給送される。また、プリンタユニット３の側面には手差給紙カセット４５が設置されており、給紙カセット４１〜４４に収容されていない種類の用紙を取込めるようにしている。
【００２６】
用紙カセット４１，４３，４４から供給される用紙は、用紙搬送路Ｓ１及びＳ２に沿って設けられた複数の搬送ローラによって用紙供給部４０上方（下流側）のプロセス部３０へ搬送される。用紙供給部４０から供給される用紙は、プロセス部３０のすぐ下流側に設けられたレジストローラ３７によって一時的に保持される。プロセス部３０では、感光体ドラム３１上のトナー像を用紙の適宜箇所に転写するために用紙の搬送を再開させるタイミングを調整する。プロセス部３０を搬送される用紙には、感光体ドラム３１と転写装置３５とによって形成される転写ニップを通過する際に感光体ドラム３１上のトナー像が転写され、定着装置３６を通過する際に転写されたトナー像が定着されて画像の記録が完成する。
【００２７】
用紙の両面に画像の記録を行わない場合、プロセス部３０にて画像が記録された用紙は、プロセス部３０上方（下流側）の用紙搬送路Ｓ４に沿って搬送され、排紙ローラ３８を通じて排紙トレイ３９へ排出される。また、用紙の両面に画像の記録を行う場合には、プロセス部３０で画像が記録された用紙を排紙ローラ３８によって一旦保持し、排紙ローラ３８を逆転駆動することにより保持した用紙を用紙搬送路Ｓ５及びＳ６へ導き、プロセス部３０を再度通過させて用紙の裏面側に画像の記録を行う。用紙の両面に画像が記録された用紙は用紙搬送路Ｓ４に沿って搬送され、排紙ローラ３８を通じて排紙トレイ３９へ排出される。なお、片面又は両面に画像が記録された用紙に対して後処理を施す必要がある場合には、用紙搬送路Ｓ５を通じてカラープリンタユニット５へ導き、カラープリンタユニット５経由で用紙を後処理ユニット７へ搬送させる。
【００２８】
図３はカラープリンタユニット５の構成を示す断面図である。カラープリンタユニット５は、用紙（記録担体）上にカラーの画像を記録するプロセス部５０と、このプロセス部５０に対して用紙を供給する用紙供給部６０とを備えている。プロセス部５０は、中間転写ベルト５１とシアン、マゼンタ、イエロ、ブラックの各色に対応したトナー像が生成される感光体ドラム５２Ｃ，５２Ｍ，５２Ｙ，５２Ｋとを備えている。各色に対応した感光体ドラム５２Ｃ，５２Ｍ，５２Ｙ，５２Ｋの周囲には、図に示していない帯電器、露光装置、現像装置などがそれぞれ配置されており、帯電器によって帯電させた感光体ドラム５２Ｃ，５２Ｍ，５２Ｙ，５２Ｋ上に露光装置が静電潜像を書込み、現像装置によって静電潜像を現像することにより各色のトナー像が生成される。
【００２９】
中間転写ベルト５１は、厚さ７５μｍ〜１２０μｍ程度のフィルムを用いて無端状に形成されており、その内側にて駆動ローラ５１ａ及び従動ローラ５１ｂにより張架されている。駆動ローラ５１ａは図に示していないモータの駆動力によって回転駆動し、中間転写ベルト５１を回転させるように構成されている。中間転写ベルト５１を挟んで感光体ドラム５２Ｃ，５２Ｍ，５２Ｙ，５２Ｋの各対向位置には中間転写ローラ５３Ｃ，５３Ｍ，５３Ｙ，５３Ｋが設けられている。中間転写ローラ５３Ｃ，５３Ｍ，５３Ｙ，５３Ｋには、トナー像を転写するための高電圧の転写バイアス、すなわち、トナーの帯電極性（−）とは逆極性（＋）の高電圧が印加される。感光体ドラム５２Ｃ，５２Ｍ，５２Ｙ，５２Ｋ上に生成されたトナー像は、これらの中間転写ローラ５３Ｃ，５３Ｍ，５３Ｙ，５３Ｋの作用により中間転写ベルト５１上に互いに重なり合うように順次的に転写され、多色トナー像が中間転写ベルト５１上に形成される。
【００３０】
中間転写ベルト５１の下側には転写装置５４が設けられている。転写装置５４は、中間転写ベルト５１を挟んで設置される第１の転写ローラ５４ａ及び第２の転写ローラ５４ｂ、並びに第２の転写ローラ５４ｂの対向位置であって用紙搬送路Ｓ１２を挟んで設置される第３の転写ローラ５４ｃを備えている。中間転写ベルト５１上に形成された多色トナー像は、第１の転写ローラ５４ａの作用によって第２の転写ローラ５４ｂへ転写される。また、第２の転写ローラ５４ｂに転写された多色トナー像は、第３の転写ローラ５４ｃの作用によって用紙搬送路Ｓ１３に沿って搬送される用紙上に転写される。
【００３１】
用紙供給部６０は、複数種の用紙を収容するために複数の給紙カセット６１，６２，６３，６４を備えている。給紙カセット６１，６２は、例えば、Ａ４サイズの用紙を大量に収容することができる大容量給紙カセットであり、給紙カセット６３，６４は、各種のサイズの用紙を収容できる多目的給紙カセットである。給紙カセット６１〜６４に収容されている用紙は、用紙搬送路近傍に設けられたピックアップローラによって一枚ずつ分離給送される。
【００３２】
用紙カセット６１から供給される用紙は、用紙搬送路Ｓ１１，Ｓ１３に沿って設けられた複数の搬送ローラにより用紙供給部６０上方のプロセス部５０へ搬送される。また、用紙カセット６２，６３，６４から供給される用紙は、用紙搬送路Ｓ１２，Ｓ１３に沿って設けられた複数の搬送ローラにより用紙供給部６０上方のプロセス部５０へ搬送される。用紙供給部６０から供給される用紙は、転写ローラ５４ｂ，５４ｃの下流側に設けられたレジストローラ５５によって一時的に保持される。プロセス部５０では、転写ローラ５４ｂの表面に転写される多色トナー像を用紙の適宜箇所に記録するために用紙の搬送を再開させるタイミングを調整する。用紙搬送路Ｓ１３を搬送される用紙には、２つの転写ローラ５４ｂ，５４ｃによって形成される転写ニップを通過する際に転写ローラ５４ｂ上の多色トナー像が転写され、図に示していない定着装置を通過する際に転写された多色トナー像が用紙上に定着されてカラー画像の記録が完成する。
【００３３】
用紙の両面にカラー画像の記録を行わない場合、プロセス部５０にてカラー画像が記録された用紙は用紙搬送路Ｓ１４に沿って搬送され、後処理ユニット７の排紙トレイ７４（図４参照）上に排出される。また、用紙の両面にカラー画像の記録を行う場合には、プロセス部５０でカラー画像が記録された用紙を用紙搬送路Ｓ１５へ導き、スイッチバックさせて用紙搬送路Ｓ１６へ導き、プロセス部５０を再度通過させて用紙の裏面側に画像の記録を行う。用紙の両面にカラー画像が記録された用紙は用紙搬送路Ｓ１４に沿って搬送され、後処理ユニット７の排紙トレイ７４上に排出される。なお、片面又は両面に画像が記録された用紙に対して後処理を施す場合にも用紙搬送路Ｓ１４を通じて後処理ユニット７へ用紙を導く。
【００３４】
また、カラープリンタユニット５は、モノクロプリンタユニット３から導かれる用紙を後処理ユニット７へ搬送するために、プロセス部５０の上方に設けられた用紙搬送路Ｓ１７を備えている。用紙搬送路Ｓ１７に沿って複数の搬送ローラが設けられており、これらの搬送ローラを回転駆動させることによって適宜の速度で用紙を搬送させる。用紙搬送ローラＳ１７は、その下流側で前述した用紙搬送路Ｓ１４に合流する。
【００３５】
図４は後処理ユニット７の構成を示す断面図である。後処理ユニット７としては、穿孔装置７１とステープル装置７２とを備えている。穿孔装置７１は、用紙搬送路Ｓ２１の上側に配設した穿孔ユニット７１０と下側に配設した台座ユニット７１２とを備えている。穿孔ユニット７１０の内部には、用紙に穿孔を施すための穿孔刃７１１が設けられており、この穿孔刃７１１をモータなどの駆動源により鉛直方向に往復運動させることで用紙上の適宜箇所に穿孔を施すように構成されている。台座ユニット７１２には、穿孔刃７１１が下降したときに挿通されるパンチ孔７１３が設けられている。なお、穿孔刃７１１及びパンチ孔７１３は用紙搬送方向と交叉する方向に適宜の間隔を隔てて複数設けられている。また、穿孔刃７１１を鉛直方向に往復運動させる駆動源は穿孔処理を施すことが設定されている場合にのみ作動するように構成されている。
【００３６】
ステープル装置７２は、用紙搬送路２２により搬送されてくる複数の用紙を積層するスタッカ７２１とスタッカ７２１に積層された複数の用紙に対して綴じ処理を施す綴じ処理ユニット７２２とを備えている。ステープル装置７２は、綴じ処理ユニット７２２を作動させることにより、スタッカ７２１に積層された用紙に対して綴じ処理を行い、複数の用紙を綴じた用紙束を排紙トレイ７３上に排出する。また、ステープル装置７２にて綴じ処理を行わない場合、後処理ユニット７に導かれた用紙は用紙搬送路Ｓ２３に沿って搬送され、排紙トレイ７４上に排出される。
【００３７】
図５は画像記録装置の制御系の構成を示すブロック図である。画像記録装置はＣＰＵ１０１を備えており、このＣＰＵ１０１がＲＯＭ１０３に予め格納された制御プログラムをＲＡＭ１０４上にロードして実行することにより、バス１０２に接続されたハードウェアを制御し、全体として本発明に係る画像記録装置として動作させる。
【００３８】
以下、バス１０２に接続されている各種ハードウェアの構成について説明する。
操作パネル１０５は、利用者による操作を受付ける操作部１０５ａと、利用者に対して報知すべき情報を報知する表示部１０５ｂとにより構成されている。操作部１０５ａは、機能の切替操作、プリント処理における出力枚数、コピー処理における変倍、ファクシミリ送信処理における送信先などの設定を受付けるための各種操作キー、テンキー等を備えている。表示部１０５ｂは液晶ディスプレイ装置を備えており、装置全体の動作状況、操作部１０５ａから入力された設定値等を表示する。また、表示部１０５ｂの一部は利用者の押下操作により設定の選択を受付けるようにしたタッチパネル方式のソフトウェアキーを備えている。
【００３９】
スキャナユニット１は、前述したようにＡＤＦ１０、光源ユニット１１、ミラーユニット１２、及びＣＣＤ読取ユニット１３を備えている。原稿台１４にセットされた原稿の画像をＣＣＤ読取ユニット１３の光電変換素子に結像させることにアナログ形式の画像信号を取得し、デジタル変換後の信号に対して原稿読取時の光源の配光特性、光電変換素子の感度ムラ等の補正を施すことによりデジタル形式の画像データを生成する。
【００４０】
通信ＩＦ１０６は、ローカルエリアネットワーク等の所定の通信規格に準拠したインタフェースを備えており、外部コンピュータを接続できるようにしている。通信ＩＦ１０６では、接続された外部コンピュータからのプリントジョブを受信し、逆に、通知すべき情報を送信する。通信ＩＦ１０６ではこのような各種データの送受信の制御を行う。
【００４１】
ファクシミリモデム１０７は、外部ファクシミリ装置を接続するための回線終端回路を備えており、公衆電話回線網を介してファクシミリデータの送受信を行うことができるようにしている。そのため、ファクシミリモデム１０７は、受信したファクシミリデータを復号するための復号回路、送信すべきファクシミリデータを符号化するための符号化回路を備えている。ファクシミリモデム１０７は、このようなファクシミリデータの送受信、並びに符号化処理及び復号処理を実行する。
【００４２】
画像メモリ１０８は半導体メモリにより構成されており、原稿の画像を読取ることによりスキャナユニット１が生成した画像データ、通信ＩＦ１０６にて受信したプリントジョブを展開することにより得られる画像データ、及びファクシミリモデム１０７にて受信したファクシミリデータから展開される画像データを一時的に記憶する。画像メモリ１０８に一時的に記憶された画像データは、ＣＰＵ１０１の指示によりその利用目的に応じた転送先に転送される。
【００４３】
ＨＤＤ１０９はディスク状の磁気記録媒体を有する記憶装置であり、原稿の画像を読取ることによりスキャナユニット１が生成した画像データ、通信ＩＦ１０６にて受信したプリントジョブを展開することにより得られる画像データ、及びファクシミリモデム１０７にて受信したファクシミリデータから展開される画像データなどを保存できるようにしている。ＨＤＤ１０９に保存された画像データは、利用者が操作パネル１０５から所定の操作を行うことにより読出すことができるようにしている。ＨＤＤ１０９から読出された画像データはその利用目的に応じた転送先に転送される。
【００４４】
モノクロ画像の記録を行うプロセス部３０は、前述したように感光体ドラム３１、帯電器３２、露光装置３３、現像装置３４、転写装置３５、定着装置３６を備えており、画像メモリ１０８から転送される画像データに基づく画像を用紙供給部４０から供給される用紙上に記録する。また、カラー画像の記録を行うプロセス部５０は、シアン、マゼンタ、イエロ、ブラックの各色に対応したトナー像が生成される感光体ドラム５２Ｃ，５２Ｍ，５２Ｙ，５２Ｋを備えており、画像メモリ１０８から転送される画像データに基づく画像を用紙供給部６０から供給される用紙上に記録する。なお、画像メモリ１０８に一時的に格納された画像データをモノクロ画像の記録を行うプロセス部３０へ転送するか、又はカラー画像の記録を行うプロセス部５０へ転送するかについては、スキャナユニット１で取得する画像データの種類、受信したプリントジョブにより指定される事項等に基づいて決定される。
【００４５】
駆動制御部１１０には、給紙モータ１１１及び搬送モータ１１２が接続されている。給紙モータ１１１は、各給紙カセット４１〜４４，６１〜６４に収容されている用紙を１枚ずつ分離給送するピックアップローラの駆動源であり、搬送モータ１１２は、用紙搬送路Ｓ１〜Ｓ６，Ｓ１１〜Ｓ１６，Ｓ２１〜Ｓ２３に沿って配設されている搬送ローラの駆動源である。駆動制御部１１０は、ＣＰＵ１０１からの指示に従って駆動制御信号を生成し、生成した駆動制御信号を給紙モータ１１１又は搬送モータ１１２へ出力することにより、ピックアップローラ又は搬送ローラを回転させるように構成されている。
【００４６】
後処理ユニット７は、前述したように穿孔装置７１及びステープル装置７２を備えている。穿孔装置７１では、プロセス部３０にてモノクロ画像が記録された用紙、又はプロセス部５０にてカラー画像が記録された用紙に対して穿孔処理を施す。ステープル装置７２では、プロセス部３０にてモノクロ画像が記録された用紙、又はプロセス部５０にてカラー画像が記録された用紙を指定された枚数だけ蓄積した後、ステープル処理を施す。
【００４７】
給電制御部１２１は、給電部１２０から供給される電力を前述したハードウェア各部に対して個別に供給又は供給の停止を行うためのスイッチ回路を備えている。例えば、スキャナユニット１への給電を停止することにより、スキャナ機能の利用を停止させることができる。また、通信ＩＦ１０６又はファクシミリモデム１０７への給電を停止することによって、電子メールの送受信、ファクシミリデータの送受信を停止させることができる。更に、ＨＤＤ１０９への給電を停止することによって、ＨＤＤ１０９内に保存されているデータへのアクセスを禁止することができる。また、プロセス部３０又はプロセス部５０への給電を停止することによって、モノクロ印刷又はカラー印刷を禁止することができる。更に、給紙モータ１１１、搬送モータ１１２への給電を停止した場合には特定の給紙カセット（例えば、給紙カセット４１）の利用を制限することができる。穿孔装置７１又はステープル装置７２への給電を停止した場合には穿孔機能又はステープル機能の利用を制限することができる。
【００４８】
図６は画像記録装置が実行する処理の手順を説明するフローチャートである。画像記録装置は、操作パネル１０５の操作部１０５ａを通じて認証コードを受付ける（ステップＳ１１）。図７は認証コードを受付ける際に操作パネル１０５に表示される画面の一例を示す模式図である。図７（ａ）は画像記録装置が利用されていない状態において操作パネル１０５の表示部１０５ｂに表示される初期画面を示している。この画面により、操作部１０５ａが備えるテンキーを利用して認証コード（パスワード）の入力を利用者に対して促す。図７（ｂ）は認証コードが入力されている途中の画面を示している。認証コードは例えば５桁の数値を用いることができる。
【００４９】
認証コードを受付けた後、ＣＰＵ１０１は、その利用者に対して利用制限を行う機能を特定する（ステップＳ１２）。そして、ＣＰＵ１０１は利用制限下での使用であるか否かを判断し（ステップＳ１３）、利用制限下での使用であると判断した場合（Ｓ１３：ＹＥＳ）、利用制限する旨を利用者に対して報知する（ステップＳ１４）。
【００５０】
図８は利用制限する旨を報知する際に操作パネル１０５に表示される画面の一例を示す模式図である。図８（ａ）には、利用制限下で装置を使用することができる旨、利用制限を解除するためには管理者に連絡すべき旨のメッセージが表示されている。また、この画面の下部には、右側から順に実行ボタン、キャンセルボタン、確認ボタンが配置されている。これらのボタンはソフトウェアキーとして構成されており、利用者による押下操作によって選択を受付けるように構成されている。実行ボタンが押下操作された場合、利用制限下での操作を受付ける。キャンセルボタンが押下操作された場合、認証状態を解除して図７（ａ）に示した初期画面へ戻す。
【００５１】
次いで、ＣＰＵ１０１は、図８（ａ）に示した画面の下部に配置されている確認ボタンが押下操作されたか否かを判断することにより、制限内容を表示するか否かを判断する（ステップＳ１５）。確認ボタンが押下操作された場合、制限内容を表示すると判断し（Ｓ１５：ＹＥＳ）、図８（ｂ）に示したような画面を操作パネル１０５の表示部１０５ｂに表示することにより、制限内容を表示する（ステップＳ１６）。図８（ｂ）に示した画面では、カラープリンタ、穿孔装置（７１）、ステープル装置（７２）、ＨＤＤ（１０９）、ファクシミリの利用が制限されている旨を示している。
【００５２】
制限内容を表示した後（Ｓ１６）、又は制限内容を表示しないと判断した場合（Ｓ１５：ＮＯ）、ＣＰＵ１０１は、給電制御部１２１を制御することにより、利用制限する機器への給電を停止させる（ステップＳ１７）。例えば、図８（ｂ）に示した機能に対して利用制限を行う場合、プロセス部５０、穿孔装置７１、ステープル装置７２、ＨＤＤ１０９、ファクシミリモデム１０７への給電を停止させる。次いで、ＣＰＵ１０１は使用履歴を作成する（ステップＳ１８）。使用履歴には、使用した利用者、使用日時、制限された機器等の情報を関連付けて記憶する。
【００５３】
使用履歴を作成した後（Ｓ１８）、又はステップＳ１３で利用制限下での使用でないと判断した場合（Ｓ１３：ＮＯ）、ＣＰＵ１０１は、認証された利用者による操作が終了したか否かを判断する（ステップＳ１９）。操作が終了していないと判断した場合（Ｓ１９：ＮＯ）、操作が終了するまで待機する。
【００５４】
認証された利用者による操作が終了したと判断した場合（Ｓ１９：ＹＥＳ）、ＣＰＵ１０１は、給電制御部１２１を制御することにより、利用制限した機器への給電を再開させる（ステップＳ２０）。
【００５５】
このように本実施の形態では、ハードウェア各部への給電を個別に制御することにより、利用者に応じた利用制限を実施することができる。
【図面の簡単な説明】
【００５６】
【図１】本実施の形態に係る画像記録装置の全体構成を示す構成図である。
【図２】スキャナユニット及びモノクロプリンタユニットの構成を示す断面図である。
【図３】カラープリンタユニットの構成を示す断面図である。
【図４】後処理ユニットの構成を示す断面図である。
【図５】画像記録装置の制御系の構成を示すブロック図である。
【図６】画像記録装置が実行する処理の手順を説明するフローチャートである。
【図７】認証コードを受付ける際に操作パネルに表示される画面の一例を示す模式図である。
【図８】利用制限する旨を報知する際に操作パネルに表示される画面の一例を示す模式図である。
【符号の説明】
【００５７】
１  スキャナユニット
３０，５０  プロセス部
７１  穿孔装置
７２  ステープル装置
１０１  ＣＰＵ
１０３  ＲＯＭ
１０５  操作パネル
１０６  通信ＩＦ  
１０７  ファクシミリモデム
１０８  画像メモリ
１０９  ＨＤＤ
１２０  給電部
１２１  給電制御部
【図１】
2007286353.tif 000003
【図２】
2007286353.tif 000004
【図３】
2007286353.tif 000005
【図４】
2007286353.tif 000006
【図５】
2007286353.tif 000007
【図６】
2007286353.tif 000008
【図７】
2007286353.tif 000009
【図８】
2007286353.tif 000010